(57)【要約】【課題】電力レベル調整の工数を削減した送信機、その制御方法、その制御プログラム、及び記録媒体を提供する。【解決手段】送信増幅器の並列運転で送信信号を合成させる際に各送信増幅器の出力の電力レベルを同一にすることにより、送信増幅器間のレベル差を１台ずつ調整する必要がなくなるので、送信増幅器の電力レベル調整の工数を削減することができる。【選択図】図１
2008259050.tif 000002
【特許請求の範囲】
【請求項１】
送信信号の利得制御を行う複数の送信増幅器と、前記各送信増幅器の並列運転で送信信号を合成させる合成器とを有する送信機において、
前記各送信増幅器の出力の電力レベルを同一にする制御手段を備えたことを特徴とする送信機。
【請求項２】
一の送信信号の利得制御を行う主送信増幅器と、他の送信信号の利得制御を行う少なくとも一つの副送信増幅器と、前記主送信増幅器の出力と前記各副送信増幅器の出力とを合成する合成器とを有する送信機において、
前記主送信増幅器の出力の電力レベルと前記各副送信増幅器の出力の電力レベルとを同一にする制御手段を備えたことを特徴とする送信機。
【請求項３】
変復調装置からの一の送信信号の利得制御を行う主制御手段を有する主送信増幅器と、前記変復調装置からの他の送信信号の利得制御を行う副制御手段を有する少なくとも一つの副送信増幅器と、前記主送信増幅器の出力と前記副送信増幅器の出力とを合成する合成器とを備えた送信機において、
前記主制御手段が回り込みの補正値を加算し減衰量を制御し、前記各副制御手段が減衰量を増やし、前記主制御手段が送信信号の電力レベルを測定し、前記各副制御手段が減衰量を戻し、前記主制御手段が減衰量を増やした後前記各副送信増幅器の電力レベルを測定し、電力レベル差の補正値を演算し、補正値を減衰量に加算することで前記主送信増幅器と前記各副送信増幅器との電力レベルを同一にさせるようにしたことを特徴とする送信機。
【請求項４】
変復調装置からの一の送信信号の利得制御を行う主制御手段を有する主送信増幅器と、前記変復調装置からの他の送信信号の利得制御を行う副制御手段を有する少なくとも一つの副送信増幅器と、前記主送信増幅器の出力と前記各副送信増幅器の出力とを合成する合成器とを備えた送信機において、
前記合成器の減衰量の補正値を記憶する合成器側メモリと、前記主送信増幅器に内蔵されたアイソレータの減衰量の補正値を記憶する主送信機側メモリとを備え、前記主制御手段及び前記各副制御手段は前記合成器側メモリ及び前記主送信機側メモリの各補正値に基づいて前記主送信増幅器と前記各副送信増幅器との電力レベルを同一にさせるようにしたことを特徴とする送信機。
【請求項５】
送信信号の利得制御を行う複数の送信増幅器の並列運転で送信信号を合成する送信機の制御方法において、
各送信増幅器の出力の電力レベルを同一にして合成することを特徴とする送信機の制御方法。
【請求項６】
一の送信信号の利得制御を行う主送信増幅器の出力と、他の送信信号の利得制御を行う少なくとも一つの副送信増幅器の出力とを合成する送信機の制御方法において、
各送信増幅器の出力の電力レベルを同一にして合成することを特徴とする送信機の制御方法。
【請求項７】
変復調装置からの一の送信信号の利得制御を行う主制御手段を有する主送信増幅器の出力と、前記変復調装置からの他の送信信号の利得制御を行う副制御手段を有する少なくとも一つの副送信増幅器の出力とを合成する送信機の制御方法において、
前記主制御手段は回り込みの補正値を加算して減衰量を制御し、前記副制御手段は減衰量を増やし、前記主制御手段は送信信号の電力レベルを測定し、前記副制御手段は減衰量を戻し、前記主制御手段は減衰量を増やし、前記副制御手段は前記各副送信増幅器の電力レベルを測定し、前記主制御手段は電力レベル差の補正値を演算し、補正値を減衰量に加算することで前記主送信増幅器と前記各副送信増幅器との電力レベルを同一にさせることを特徴とする送信機の制御方法。
【請求項８】
変復調装置からの一の送信信号の利得制御を行う主制御手段を有する主送信増幅器の出力と、前記変復調装置からの他の送信信号の利得制御を行う副制御手段を有する少なくとも一つの副送信増幅器の出力とを合成器で合成する送信機の制御方法において、
前記主制御手段は前記合成器の減衰量の補正値及び前記主送信増幅器に内蔵されたアイソレータの減衰量の補正値を記憶手段から読み出し、その補正値に基づいて前記主送信増幅器と前記各副送信増幅器との電力レベルを同一にさせることを特徴とする送信機の制御方法。
【請求項９】
コンピュータに、送信信号の利得制御を行う複数の送信増幅器の並列運転で送信信号を合成する処理を実行させる送信機の制御プログラムにおいて、
前記コンピュータに、各送信増幅器の出力の電力レベルを同一にして合成する処理を実行させることを特徴とする送信機の制御プログラム。
【請求項１０】
コンピュータに、一の送信信号の利得制御を行う主送信増幅器の出力と、他の送信信号の利得制御を行う少なくとも一つの副送信増幅器の出力とを合成する処理を実行させる送信機の制御プログラムにおいて、
前記コンピュータに、各送信増幅器の出力の電力レベルを同一にして合成する処理を実行させることを特徴とする送信機の制御プログラム。
【請求項１１】
コンピュータに、変復調装置からの一の送信信号の利得制御を行う主制御手段を有する主送信増幅器の出力と、前記変復調装置からの他の送信信号の利得制御を行う副制御手段を有する少なくとも一つの副送信増幅器の出力とを合成する処理を実行させる送信機の制御プログラムにおいて、
前記主送信増幅器のコンピュータは回り込みの補正値を加算して減衰量を制御する処理を実行させ、前記副送信増幅器のコンピュータは減衰量を増やす処理を実行させ、前記主送信増幅器のコンピュータは送信信号の電力レベルを測定する処理を実行させ、前記副送信増幅器のコンピュータは減衰量を戻す処理を実行させ、前記主送信増幅器のコンピュータは減衰量を増やす処理を実行させ、前記副送信増幅器のコンピュータは前記各副送信増幅器の電力レベルを測定する処理を実行させ、前記主送信増幅器のコンピュータは電力レベル差の補正値を演算し、補正値を減衰量に加算する処理を実行させることで前記主送信増幅器と前記各副送信増幅器との電力レベルを同一にさせることを特徴とする送信機の制御プログラム。
【請求項１２】
コンピュータに、変復調装置からの一の送信信号の利得制御を行う主制御手段を有する主送信増幅器の出力と、前記変復調装置からの他の送信信号の利得制御を行う副制御手段を有する少なくとも一つの副送信増幅器の出力とを合成器で合成する処理を実行させる送信機の制御プログラムにおいて、
前記主送信増幅器のコンピュータは前記合成器の減衰量の補正値及び前記主送信増幅器に内蔵されたアイソレータの減衰量の補正値を記憶手段から読み出し、その補正値に基づいて前記主送信増幅器と前記各副送信増幅器との電力レベルを同一にさせることを特徴とする送信機の制御プログラム。
【請求項１３】
請求項９から１２のいずれか１項記載の制御プログラムを記録したことを特徴とする記録媒体。
【発明の詳細な説明】
【技術分野】
【０００１】
本発明は、送信機、その制御方法、その制御プログラム、及び記録媒体に関する。
【背景技術】
【０００２】
近年、通信手段の発達に伴って一つの送信機内に複数の送信増幅器を有し、多重通信や移動通信を行うものが開発されている。
図７は、従来の送信機のブロック図であり、図８は図７に示した送信機に用いられる送信増幅器のブロック図である。図９は図７に示した送信増幅器の動作を示すフローチャートである。
図７に示す送信機は、変復調装置１と、変復調装置１からの送信信号Ｓ１を増幅する主送信増幅器としての送信増幅器２と、変復調装置１からの送信信号Ｓ２を増幅する副送信増幅器としての送信増幅器３と、送信増幅器２からの信号と送信増幅器３からの信号とを合成し得られた信号Ｓ３をアンテナ５に給電する合成器４とで構成されている。送信増幅器２，３と合成器４とで送信増幅装置６が構成されている。
【０００３】
図８に示す送信増幅器は、変復調装置１からの送信信号Ｓ１を無線信号に変換するベースバンド部７、ベースバンド部７からの信号を減衰させる可変減衰器８、可変減衰器８からの信号を増幅する増幅器９、増幅器９からの信号を２分配する分配器１０、分配器１０で分配された一方の信号をアイソレートするアイソレータ１１、分配器１０で分配された他方の信号を検波する検波器１２、制御プログラムを有するメモリ１３、及び検波器１２からの信号に基づいて可変減衰器８の減衰量を制御するＣＰＵ１４０で構成されている。
【０００４】
図７に示した送信機は、自身の送信増幅器２の利得制御を実施し（ステップＳ２０：図９）、他方の送信増幅器３の利得制御を実施し（ステップＳ２１：図９）、送信増幅器２の出力と送信増幅器３の出力とを合成器４で合成しアンテナ５に給電するものであった。
【０００５】
送信機としては、入力信号を２分配し、分配された信号をそれぞれ可変減衰及び電力増幅し、増幅出力レベルを検出し、電力増幅出力を合成し、レベル検出結果に基づきレベル制御を行うもの（例えば、特許文献１参照。）、各電力増幅器の出力の進行は電力が方向性結合器にて夫々分岐されてレベル検波器入力され、各レベル検波出力はＮ入力１出力のマルチプレクサへ印加され、選択制御部からの選択信号により時分割的に所定周期で択一的に導出するもの（例えば、特許文献２参照。）、電力合成手段の出力側に方向性結合器が挿入され、方向性結合器で分割された合成出力信号、つまり多重化変調信号の包絡線電力レベルを検出するレベル検出手段が設けられ、レベル検出手段の検出出力が制御手段に入力され、制御手段により可変減衰器が制御されるもの（例えば、特許文献３参照。）、及び二つの送信部を備え、各送信信号を合成して一つのアンテナから出力するもの（例えば、特許文献４参照。）が挙げられる。
【特許文献１】特開２００１−２３７６５１号公報
【特許文献２】特開平０７−２６４１４６号公報
【特許文献３】特開平０８−２７４７３４号公報
【特許文献４】特開平１０−３０３７７７号公報
【発明の開示】
【発明が解決しようとする課題】
【０００６】
ところで、従来の送信機に用いられる送信増幅装置６は、送信増幅器２，３を個々に製造して出荷していたため、送信増幅器２，３の電力レベルの個体差が生じていた。その為、個々の送信増幅器２，３の電力レベル差を１台ずつ調整することにより時間がかかっていた。
【０００７】
また、双方の送信増幅器２，３の電力レベルを個々に調整せず、合成した電力レベルのみ調整することがあり、その場合、電力レベルの差があると双方の送信増幅器２，３の負担が同一にならないため、片方の送信増幅器２または送信増幅器３の電力レベルを規定以上に上げることにより歪特性が悪くなるケースがあった。
【０００８】
例えば、送信増幅器２，３の出力の電力レベルが＋４０．０ｄＢｍで合成後の電力レベルが＋４３．０ｄＢｍのレベルダイヤである送信増幅装置６において、送信増幅器２の送信信号Ｓ１の電力レベルが＋４１．０ｄＢｍで送信増幅器３の送信信号Ｓ２の電力レベルが＋３８．０ｄＢｍの場合、合成後の送信信号Ｓ３の電力レベルは＋４２．８ｄＢｍとなる。
【０００９】
このとき、一律に０．２ｄＢづつ電力レベルを上げて調整すると送信増幅器２の送信信号Ｓ１の電力レベルが＋４１．２ｄＢｍで送信増幅器３の送信信号Ｓ２の電力レベルが＋３８．２ｄＢｍとなり、合成後の送信信号Ｓ３の電力レベルは＋４３．０ｄＢｍとなる。合成後の電力レベルは、正しく＋４３．０ｄＢｍとなるが、送信増幅器２の電力レベルが＋４１．２ｄＢｍで１．２ｄＢ高く設定されているため、歪特性の劣化を招いてしまうことになる。
そこで、本発明の目的は、電力レベル調整の工数を削減した送信機、その制御方法、その制御プログラム、及び記録媒体を提供することにある。
【課題を解決するための手段】
【００１０】
上記課題を解決するため、請求項１記載の発明は、送信信号の利得制御を行う複数の送信増幅器と、前記各送信増幅器の並列運転で送信信号を合成させる合成器とを有する送信機において、前記各送信増幅器の出力の電力レベルを同一にする制御手段を備えたことを特徴とする。
【００１１】
請求項１記載の発明によれば、各送信増幅器の出力の電力レベルを同一にすることにより、送信増幅器間のレベル差を１台ずつ調整する必要がなくなるので、送信増幅器の電力レベル調整の工数を削減することができる。
【００１２】
請求項２記載の発明は、一の送信信号の利得制御を行う主送信増幅器と、他の送信信号の利得制御を行う少なくとも一つの副送信増幅器と、前記主送信増幅器の出力と前記各副送信増幅器の出力とを合成する合成器とを有する送信機において、前記主送信増幅器の出力の電力レベルと前記各副送信増幅器の出力の電力レベルとを同一にする制御手段を備えたことを特徴とする。
【００１３】
請求項２記載の発明によれば、主送信増幅器の出力の電力レベルと副送信増幅器の出力の電力レベルとを同一にする制御手段を備えたことにより、主送信増幅器の出力の電力レベルと各副送信増幅器の出力の電力レベルとを同一にする制御手段を備えたことにより、送信増幅器間のレベル差を１台ずつ調整する必要がなくなるので、送信増幅器の電力レベル調整の工数を削減することができる。
【００１４】
請求項３記載の発明は、変復調装置からの一の送信信号の利得制御を行う主制御手段を有する主送信増幅器と、前記変復調装置からの他の送信信号の利得制御を行う副制御手段を有する少なくとも一つの副送信増幅器と、前記主送信増幅器の出力と前記副送信増幅器の出力とを合成する合成器とを備えた送信機において、前記主制御手段が回り込みの補正値を加算し減衰量を制御し、前記各副制御手段が減衰量を増やし、前記主制御手段が送信信号の電力レベルを測定し、前記各副制御手段が減衰量を戻し、前記主制御手段が減衰量を増やした後前記各副送信増幅器の電力レベルを測定し、電力レベル差の補正値を演算し、補正値を減衰量に加算することで前記主送信増幅器と前記各副送信増幅器との電力レベルを同一にさせるようにしたことを特徴とする。
【００１５】
請求項３記載の発明によれば、主制御手段が回り込みの補正値を加算し減衰量を制御し、各副制御手段が減衰量を増やし、主制御手段が送信信号の電力レベルを測定し、各副制御手段が減衰量を戻し、主制御手段が減衰量を増やした後各副送信増幅器の電力レベルを測定し、電力レベル差の補正値を演算し、補正値を減衰量に加算することで主送信増幅器と各副送信増幅器との電力レベルを同一にさせるようにしたことにより、送信増幅器間のレベル差を１台ずつ調整する必要がなくなるので、送信増幅器の電力レベル調整の工数を削減することができる。
【００１６】
請求項４記載の発明は、変復調装置からの一の送信信号の利得制御を行う主制御手段を有する主送信増幅器と、前記変復調装置からの他の送信信号の利得制御を行う副制御手段を有する少なくとも一つの副送信増幅器と、前記主送信増幅器の出力と前記各副送信増幅器の出力とを合成する合成器とを備えた送信機において、前記合成器の減衰量の補正値を記憶する合成器側メモリと、前記主送信増幅器に内蔵されたアイソレータの減衰量の補正値を記憶する主送信機側メモリとを備え、前記主制御手段及び前記各副制御手段は前記合成器側メモリ及び前記主送信機側メモリの各補正値に基づいて前記主送信増幅器と前記各副送信増幅器との電力レベルを同一にさせるようにしたことを特徴とする。
【００１７】
請求項４記載の発明によれば、合成器の減衰量の補正値を記憶する合成器側メモリと、主送信増幅器に内蔵されたアイソレータの減衰量の補正値を記憶する主送信機側メモリとを備え、主制御手段及び各副制御手段は合成器側メモリ及び主送信機側メモリの各補正値に基づいて主送信増幅器と各副送信増幅器との電力レベルを同一にさせるようにしたことにより、送信増幅器間のレベル差を１台ずつ調整する必要がなくなるので、送信増幅器の電力レベル調整の工数を削減することができる。
【００１８】
請求項５記載の発明は、送信信号の利得制御を行う複数の送信増幅器の並列運転で送信信号を合成する送信機の制御方法において、各送信増幅器の出力の電力レベルを同一にして合成することを特徴とする。
【００１９】
請求項５記載の発明によれば、各送信増幅器の出力の電力レベルを同一にして合成することにより、送信増幅器間のレベル差を１台ずつ調整する必要がなくなるので、送信増幅器の電力レベル調整の工数を削減することができる。
【００２０】
請求項６記載の発明は、一の送信信号の利得制御を行う主送信増幅器の出力と、他の送信信号の利得制御を行う少なくとも一つの副送信増幅器の出力とを合成する送信機の制御方法において、各送信増幅器の出力の電力レベルを同一にして合成することを特徴とする。
【００２１】
請求項６記載の発明によれば、各送信増幅器の出力の電力レベルを同一にして合成することにより、送信増幅器間のレベル差を１台ずつ調整する必要がなくなるので、送信増幅器の電力レベル調整の工数を削減することができる。
【００２２】
請求項７記載の発明は、変復調装置からの一の送信信号の利得制御を行う主制御手段を有する主送信増幅器の出力と、前記変復調装置からの他の送信信号の利得制御を行う副制御手段を有する少なくとも一つの副送信増幅器の出力とを合成する送信機の制御方法において、前記主制御手段は回り込みの補正値を加算して減衰量を制御し、前記副制御手段は減衰量を増やし、前記主制御手段は送信信号の電力レベルを測定し、前記副制御手段は減衰量を戻し、前記主制御手段は減衰量を増やし、前記副制御手段は前記各副送信増幅器の電力レベルを測定し、前記主制御手段は電力レベル差の補正値を演算し、補正値を減衰量に加算することで前記主送信増幅器と前記各副送信増幅器との電力レベルを同一にさせることを特徴とする。
【００２３】
請求項７記載の発明によれば、主制御手段は回り込みの補正値を加算して減衰量を制御し、副制御手段は減衰量を増やし、主制御手段は送信信号の電力レベルを測定し、副制御手段は減衰量を戻し、主制御手段は減衰量を増やし、副制御手段は各副送信増幅器の電力レベルを測定し、主制御手段は電力レベル差の補正値を演算し、補正値を減衰量に加算することで主送信増幅器と各副送信増幅器との電力レベルを同一にさせることにより、送信増幅器間のレベル差を１台ずつ調整する必要がなくなるので、送信増幅器の電力レベル調整の工数を削減することができる。
【００２４】
請求項８記載の発明は、変復調装置からの一の送信信号の利得制御を行う主制御手段を有する主送信増幅器の出力と、前記変復調装置からの他の送信信号の利得制御を行う副制御手段を有する少なくとも一つの副送信増幅器の出力とを合成器で合成する送信機の制御方法において、前記主制御手段は前記合成器の減衰量の補正値及び前記主送信増幅器に内蔵されたアイソレータの減衰量の補正値を記憶手段から読み出し、その補正値に基づいて前記主送信増幅器と前記各副送信増幅器との電力レベルを同一にさせることを特徴とする。
【００２５】
請求項８記載の発明によれば、主制御手段は合成器の減衰量の補正値及び主送信増幅器に内蔵されたアイソレータの減衰量の補正値を記憶手段から読み出し、その補正値に基づいて主送信増幅器と各副送信増幅器との電力レベルを同一にさせることにより、送信増幅器間のレベル差を１台ずつ調整する必要がなくなるので、送信増幅器の電力レベル調整の工数を削減することができる。
【００２６】
請求項９記載の発明は、コンピュータに、送信信号の利得制御を行う複数の送信増幅器の並列運転で送信信号を合成する処理を実行させる送信機の制御プログラムにおいて、前記コンピュータに、各送信増幅器の出力の電力レベルを同一にして合成する処理を実行させることを特徴とする。
【００２７】
請求項９記載の発明によれば、コンピュータに、各送信増幅器の出力の電力レベルを同一にして合成する処理を実行させることにより、送信増幅器間のレベル差を１台ずつ調整する必要がなくなるので、送信増幅器の電力レベル調整の工数を削減することができる。
【００２８】
請求項１０記載の発明は、コンピュータに、一の送信信号の利得制御を行う主送信増幅器の出力と、他の送信信号の利得制御を行う少なくとも一つの副送信増幅器の出力とを合成する処理を実行させる送信機の制御プログラムにおいて、前記コンピュータに、各送信増幅器の出力の電力レベルを同一にして合成する処理を実行させることを特徴とする。
【００２９】
請求項１０記載の発明によれば、コンピュータに、各送信増幅器の出力の電力レベルを同一にして合成する処理を実行させることにより、送信増幅器間のレベル差を１台ずつ調整する必要がなくなるので、送信増幅器の電力レベル調整の工数を削減することができる。
【００３０】
請求項１１記載の発明は、コンピュータに、変復調装置からの一の送信信号の利得制御を行う主制御手段を有する主送信増幅器の出力と、前記変復調装置からの他の送信信号の利得制御を行う副制御手段を有する少なくとも一つの副送信増幅器の出力とを合成する処理を実行させる送信機の制御プログラムにおいて、前記主送信増幅器のコンピュータは回り込みの補正値を加算して減衰量を制御する処理を実行させ、前記副送信増幅器のコンピュータは減衰量を増やす処理を実行させ、前記主送信増幅器のコンピュータは送信信号の電力レベルを測定する処理を実行させ、前記副送信増幅器のコンピュータは減衰量を戻す処理を実行させ、前記主送信増幅器のコンピュータは減衰量を増やす処理を実行させ、前記副送信増幅器のコンピュータは前記各副送信増幅器の電力レベルを測定する処理を実行させ、前記主送信増幅器のコンピュータは電力レベル差の補正値を演算し、補正値を減衰量に加算する処理を実行させることで前記主送信増幅器と前記各副送信増幅器との電力レベルを同一にさせることを特徴とする。
【００３１】
請求項１１記載の発明によれば、主送信増幅器のコンピュータは回り込みの補正値を加算して減衰量を制御する処理を実行させ、副送信増幅器のコンピュータは減衰量を増やす処理を実行させ、主送信増幅器のコンピュータは送信信号の電力レベルを測定する処理を実行させ、副送信増幅器のコンピュータは減衰量を戻す処理を実行させ、主送信増幅器のコンピュータは減衰量を増やす処理を実行させ、副送信増幅器のコンピュータは各副送信増幅器の電力レベルを測定する処理を実行させ、主送信増幅器のコンピュータは電力レベル差の補正値を演算し、補正値を減衰量に加算する処理を実行させることで主送信増幅器と各副送信増幅器との電力レベルを同一にさせることにより、送信増幅器間のレベル差を１台ずつ調整する必要がなくなるので、送信増幅器の電力レベル調整の工数を削減することができる。
【００３２】
請求項１２記載の発明は、コンピュータに、変復調装置からの一の送信信号の利得制御を行う主制御手段を有する主送信増幅器の出力と、前記変復調装置からの他の送信信号の利得制御を行う副制御手段を有する少なくとも一つの副送信増幅器の出力とを合成器で合成する処理を実行させる送信機の制御プログラムにおいて、前記主送信増幅器のコンピュータは前記合成器の減衰量の補正値及び前記主送信増幅器に内蔵されたアイソレータの減衰量の補正値を記憶手段から読み出し、その補正値に基づいて前記主送信増幅器と前記各副送信増幅器との電力レベルを同一にさせることを特徴とする。
【００３３】
請求項１２記載の発明によれば、主送信増幅器のコンピュータは合成器の減衰量の補正値及び主送信増幅器に内蔵されたアイソレータの減衰量の補正値を記憶手段から読み出し、その補正値に基づいて主送信増幅器と各副送信増幅器との電力レベルを同一にさせることにさせることにより、送信増幅器間のレベル差を１台ずつ調整する必要がなくなるので、送信増幅器の電力レベル調整の工数を削減することができる。
【００３４】
請求項１３記載の発明は、請求項９から１２のいずれか１項記載の制御プログラムを記録した記録媒体であることを特徴とする。
【発明の効果】
【００３５】
本発明によれば、送信増幅器の並列運転で送信信号を合成させる際に各送信増幅器の出力の電力レベルを同一にすることにより、送信増幅器間のレベル差を１台ずつ調整する必要がなくなるので、送信増幅器の電力レベル調整の工数を削減することができる。
【発明を実施するための最良の形態】
【００３６】
〔特徴〕
本発明は、移動通信基地局に用いられる送信増幅装置において、少なくとも２台の送信増幅器の送信信号を合成して出力する並列構成時に少なくとも２台の送信増幅器の電力レベルを自動で同一の電力レベルとさせることを特徴としている。
【００３７】
すなわち、本発明の送信機に係る一実施形態は、送信信号の利得制御を行う複数の送信増幅器と、送信増幅器の並列運転で送信信号を合成させる合成器とを有する送信機において、各送信増幅器の出力の電力レベルを同一にする制御手段を備えたことを特徴とする（請求項１）。
【００３８】
上記構成によれば、各送信増幅器の出力の電力レベルを同一にすることにより、送信増幅器間のレベル差を１台ずつ調整する必要がなくなるので、送信増幅器の電力レベル調整の工数を削減することができる。
【００３９】
本発明の送信機に係る他の実施形態は、一の送信信号の利得制御を行う主送信増幅器と、他の送信信号の利得制御を行う少なくとも一つの副送信増幅器と、主送信増幅器の出力と各副送信増幅器の出力とを合成する合成器とを有する送信機において、主送信増幅器の出力の電力レベルと各副送信増幅器の出力の電力レベルとを同一にする制御手段を備えたことを特徴とする（請求項２）。
【００４０】
上記構成によれば、主送信増幅器の出力の電力レベルと副送信増幅器の出力の電力レベルとを同一にする制御手段を備えたことにより、主送信増幅器の出力の電力レベルと各副送信増幅器の出力の電力レベルとを同一にする制御手段を備えたことにより、送信増幅器間のレベル差を１台ずつ調整する必要がなくなるので、送信増幅器の電力レベル調整の工数を削減することができる。
【００４１】
本発明の送信機に係る他の実施形態は、変復調装置からの一の送信信号の利得制御を行う主制御手段を有する主送信増幅器と、変復調装置からの他の送信信号の利得制御を行う副制御手段を有する少なくとも一つの副送信増幅器と、主送信増幅器の出力と副送信増幅器の出力とを合成する合成器とを備えた送信機において、主制御手段が回り込みの補正値を加算し減衰量を制御し、各副制御手段が減衰量を増やし、主制御手段が送信信号の電力レベルを測定し、各副制御手段が減衰量を戻し、主制御手段が減衰量を増やした後各副送信増幅器の電力レベルを測定し、電力レベル差の補正値を演算し、補正値を減衰量に加算することで主送信増幅器と各副送信増幅器との電力レベルを同一にさせるようにしたことを特徴とする（請求項３）。
ここで、変復調装置は、アナログ変調、ディジタル変調、線形変調、及び非線形変調のいずれの方式を用いてもよい。
【００４２】
上記構成によれば、主制御手段が回り込みの補正値を加算し減衰量を制御し、各副制御手段が減衰量を増やし、主制御手段が送信信号の電力レベルを測定し、各副制御手段が減衰量を戻し、主制御手段が減衰量を増やした後各副送信増幅器の電力レベルを測定し、電力レベル差の補正値を演算し、補正値を減衰量に加算することで主送信増幅器と各副送信増幅器との電力レベルを同一にさせるようにしたことにより、送信増幅器間のレベル差を１台ずつ調整する必要がなくなるので、送信増幅器の電力レベル調整の工数を削減することができる。
【００４３】
本発明の送信機に係る他の実施形態は、変復調装置からの一の送信信号の利得制御を行う主制御手段を有する主送信増幅器と、変復調装置からの他の送信信号の利得制御を行う副制御手段を有する少なくとも一つの副送信増幅器と、主送信増幅器の出力と各副送信増幅器の出力とを合成する合成器とを備えた送信機において、合成器の減衰量の補正値を記憶する合成器側メモリと、主送信増幅器に内蔵されたアイソレータの減衰量の補正値を記憶する主送信機側メモリとを備え、主制御手段及び各副制御手段は合成器側メモリ及び主送信機側メモリの各補正値に基づいて主送信増幅器と各副送信増幅器との電力レベルを同一にさせるようにしたことを特徴とする（請求項４）。
【００４４】
上記構成によれば、合成器の減衰量の補正値を記憶する合成器側メモリと、主送信増幅器に内蔵されたアイソレータの減衰量の補正値を記憶する主送信機側メモリとを備え、主制御手段及び各副制御手段は合成器側メモリ及び主送信機側メモリの各補正値に基づいて主送信増幅器と各副送信増幅器との電力レベルを同一にさせるようにしたことにより、送信増幅器間のレベル差を１台ずつ調整する必要がなくなるので、送信増幅器の電力レベル調整の工数を削減することができる。
【００４５】
本発明に係る送信機の制御方法の一実施の形態は、送信信号の利得制御を行う複数の送信増幅器の並列運転で送信信号を合成する送信機の制御方法において、各送信増幅器の出力の電力レベルを同一にして合成することを特徴とする送信機の制御方法（請求項５）。
【００４６】
上記構成によれば、各送信増幅器の出力の電力レベルを同一にして合成することにより、送信増幅器間のレベル差を１台ずつ調整する必要がなくなるので、送信増幅器の電力レベル調整の工数を削減することができる。
【００４７】
本発明に係る送信機の制御方法の他の実施の形態は、一の送信信号の利得制御を行う主送信増幅器の出力と、他の送信信号の利得制御を行う少なくとも一つの副送信増幅器の出力とを合成する送信機の制御方法において、各送信増幅器の出力の電力レベルを同一にして合成することを特徴とする（請求項６）。
【００４８】
上記構成によれば、各送信増幅器の出力の電力レベルを同一にして合成することにより、送信増幅器間のレベル差を１台ずつ調整する必要がなくなるので、送信増幅器の電力レベル調整の工数を削減することができる。
【００４９】
本発明に係る送信機の制御方法の他の実施の形態は、変復調装置からの一の送信信号の利得制御を行う主制御手段を有する主送信増幅器の出力と、変復調装置からの他の送信信号の利得制御を行う副制御手段を有する少なくとも一つの副送信増幅器の出力とを合成する送信機の制御方法において、回り込みの補正値を加算し減衰量を制御し、減衰量を増やし、送信信号の電力レベルを測定し、減衰量を戻し、減衰量を増やした後各副送信増幅器の電力レベルを測定し、電力レベル差の補正値を演算し、補正値を減衰量に加算することで主送信増幅器と各副送信増幅器との電力レベルを同一にさせることを特徴とする（請求項７）。
【００５０】
上記構成によれば、回り込みの補正値を加算し減衰量を制御し、減衰量を増やし、送信信号の電力レベルを測定し、減衰量を戻し、減衰量を増やした後各副送信増幅器の電力レベルを測定し、電力レベル差の補正値を演算し、補正値を減衰量に加算することで主送信増幅器と各副送信増幅器との電力レベルを同一にさせることにより、送信増幅器間のレベル差を１台ずつ調整する必要がなくなるので、送信増幅器の電力レベル調整の工数を削減することができる。
【００５１】
本発明に係る送信機の制御方法の他の実施の形態は、変復調装置からの一の送信信号の利得制御を行う主制御手段を有する主送信増幅器の出力と、変復調装置からの他の送信信号の利得制御を行う副制御手段を有する少なくとも一つの副送信増幅器の出力とを合成器で合成する送信機の制御方法において、主制御手段は合成器の減衰量の補正値及び主送信増幅器に内蔵されたアイソレータの減衰量の補正値を記憶手段から読み出し、その補正値に基づいて主送信増幅器と各副送信増幅器との電力レベルを同一にさせることを特徴とする（請求項８）。
【００５２】
上記構成によれば、主制御手段は合成器の減衰量の補正値及び主送信増幅器に内蔵されたアイソレータの減衰量の補正値を記憶手段から読み出し、その補正値に基づいて主送信増幅器と各副送信増幅器との電力レベルを同一にさせることにより、送信増幅器間のレベル差を１台ずつ調整する必要がなくなるので、送信増幅器の電力レベル調整の工数を削減することができる。
【００５３】
本発明に係る送信機の制御プログラムの一実施の形態は、コンピュータに、送信信号の利得制御を行う複数の送信増幅器の並列運転で送信信号を合成する処理を実行させる送信機の制御プログラムにおいて、コンピュータに、各送信増幅器の出力の電力レベルを同一にして合成する処理を実行させることを特徴とする（請求項９）。
【００５４】
上記構成によれば、コンピュータに、各送信増幅器の出力の電力レベルを同一にして合成する処理を実行させることにより、送信増幅器間のレベル差を１台ずつ調整する必要がなくなるので、送信増幅器の電力レベル調整の工数を削減することができる。
【００５５】
本発明に係る送信機の制御プログラムの他の実施の形態は、コンピュータに、一の送信信号の利得制御を行う主送信増幅器の出力と、他の送信信号の利得制御を行う少なくとも一つの副送信増幅器の出力とを合成する処理を実行させる送信機の制御プログラムにおいて、コンピュータに、各送信増幅器の出力の電力レベルを同一にして合成する処理を実行させることを特徴とする（請求項１０）。
【００５６】
上記構成によれば、コンピュータに、各送信増幅器の出力の電力レベルを同一にして合成する処理を実行させることにより、送信増幅器間のレベル差を１台ずつ調整する必要がなくなるので、送信増幅器の電力レベル調整の工数を削減することができる。
【００５７】
本発明に係る送信機の制御プログラムの他の実施の形態は、コンピュータに、変復調装置からの一の送信信号の利得制御を行う主制御手段を有する主送信増幅器の出力と、変復調装置からの他の送信信号の利得制御を行う副制御手段を有する少なくとも一つの副送信増幅器の出力とを合成する処理を実行させる送信機の制御プログラムにおいて、主送信増幅器のコンピュータは回り込みの補正値を加算して減衰量を制御する処理を実行させ、副送信増幅器のコンピュータは減衰量を増やす処理を実行させ、主送信増幅器のコンピュータは送信信号の電力レベルを測定する処理を実行させ、副送信増幅器のコンピュータは減衰量を戻す処理を実行させ、主送信増幅器のコンピュータは減衰量を増やす処理を実行させ、副送信増幅器のコンピュータは各副送信増幅器の電力レベルを測定する処理を実行させ、主送信増幅器のコンピュータは電力レベル差の補正値を演算し、補正値を減衰量に加算する処理を実行させることで主送信増幅器と各副送信増幅器との電力レベルを同一にさせることを特徴とする（請求項１１）。
【００５８】
上記構成によれば、主送信増幅器のコンピュータは回り込みの補正値を加算して減衰量を制御する処理を実行させ、副送信増幅器のコンピュータは減衰量を増やす処理を実行させ、主送信増幅器のコンピュータは送信信号の電力レベルを測定する処理を実行させ、副送信増幅器のコンピュータは減衰量を戻す処理を実行させ、主送信増幅器のコンピュータは減衰量を増やす処理を実行させ、副送信増幅器のコンピュータは各副送信増幅器の電力レベルを測定する処理を実行させ、主送信増幅器のコンピュータは電力レベル差の補正値を演算し、補正値を減衰量に加算する処理を実行させることで主送信増幅器と各副送信増幅器との電力レベルを同一にさせることにより、送信増幅器間のレベル差を１台ずつ調整する必要がなくなるので、送信増幅器の電力レベル調整の工数を削減することができる。
【００５９】
本発明に係る送信機の制御プログラムの他の実施の形態は、コンピュータに、変復調装置からの一の送信信号の利得制御を行う主制御手段を有する主送信増幅器の出力と、変復調装置からの他の送信信号の利得制御を行う副制御手段を有する少なくとも一つの副送信増幅器の出力とを合成器で合成する処理を実行させる送信機の制御プログラムにおいて、主送信増幅器のコンピュータは合成器の減衰量の補正値及び主送信増幅器に内蔵されたアイソレータの減衰量の補正値を記憶手段から読み出し、その補正値に基づいて主送信増幅器と各副送信増幅器との電力レベルを同一にさせることを特徴とする（請求項１２）。
【００６０】
上記構成によれば、主送信増幅器のコンピュータは合成器の減衰量の補正値及び主送信増幅器に内蔵されたアイソレータの減衰量の補正値を記憶手段から読み出し、その補正値に基づいて主送信増幅器と各副送信増幅器との電力レベルを同一にさせることにさせることにより、送信増幅器間のレベル差を１台ずつ調整する必要がなくなるので、送信増幅器の電力レベル調整の工数を削減することができる。
【００６１】
本発明に係る記録媒体の一実施の形態は、上記いずれかに記載の制御プログラムを記録した記録媒体であることを特徴とする（請求項１３）。
【００６２】
＜プログラム及び記録媒体＞
以上で説明した本発明の送信機は、コンピュータで処理を実行させる制御プログラムによって実現されている。コンピュータとしては。例えばマイクロプロセッサが挙げられるが本発明はこれに限定されるものではなく、パーソナルコンピュータやワークステーションなどの汎用的なものが挙げられる。
【００６３】
このような制御プログラムは、コンピュータ（マイクロプロセッサ）に読み取り可能な記録媒体に記録されていてもよい。
ここで、記録媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記録媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【００６４】
なお、上述した実施の形態は、本発明の好適な実施の形態の一例を示すものであり、本発明はそれに限定されることなく、その要旨を逸脱しない範囲内において、種々変形実施が可能である。
【実施例１】
【００６５】
〔構成の説明〕
次に本発明の実施例について説明する。本実施例においては、送信増幅器が主送信増幅器と１台の副送信増幅器との２台の場合で説明するが、本発明はこれに限定されるものではない。また、図１，２に示した部材と同様の部材には共通の符号を用いた。
図１は、本発明に係る送信機の一例を示すブロック図である。
図１に示す送信機は、ベースバンド信号である送信信号Ｓ１，Ｓ２を出力する変復調装置１と、変復調装置１から出力されたベースバンド信号である送信信号Ｓ１を無線信号で所望の電力レベルに増幅して出力する主送信増幅器としての送信増幅器２−１と、送信増幅器２−１と同様に変復調装置１から出力されたベースバンド信号である送信信号Ｓ２を無線信号で所望の電力レベルに増幅して出力する副送信増幅器としての送信増幅器３−１と、送信増幅器２−１から出力された送信信号Ｓ１と送信増幅器３−１から出力された送信信号Ｓ２とを合成して送信信号Ｓ３を出力する合成器４と、合成器４から出力された送信信号Ｓ３を空間に放射するアンテナ５とを備え、送信増幅器２−１から送信増幅器３−１を制御する信号Ｓ４を送るようになっている。
ここで、アンテナ５はモノポールアンテナを含む接地系アンテナであっても、ダイポールアンテナを含む非接地系アンテナであってもパラボラアンテナを含む開口面系アンテナであってもよい。
送信増幅器２−１と、送信増幅器３−１と、合成器４とを備えた構成を送信増幅装置６とする。
【００６６】
図２は、図１に示した送信機に用いられる送信増幅装置の一例を示すブロック図である。
図２を参照すると、送信増幅器２−１は、変復調装置１（図１）から出力されたベースバンド信号である送信信号Ｓ１ａを無線信号に変換して出力するベースバンド部７と、ベースバンド部７から出力された送信信号Ｓ１ａを所望の利得になるように減衰量を調整して送信信号Ｓ１ｂを出力する可変減衰器８と、可変減衰器８から出力された送信信号Ｓ１ｂを所望の利得にして出力する増幅器９と、増幅器９から出力された送信信号Ｓ１ｃを２分配して送信信号Ｓ１ｄ，Ｓ１ｅを出力する分配器１０と、分配器１０から出力された一方の送信信号Ｓ１ｄを通過させ且つアイソレーション機能を持つアイソレータ１１と、分配器１０から出力された他方の送信信号Ｓ１ｅの電力レベルを検出し、送信信号Ｓ１の電力レベルの情報である信号Ｓ５を出力する検波器１２と、補正値をあらかじめ記憶しておくメモリ１３と、検波器１２から出力された、送信信号Ｓ１の電力レベルの情報である信号Ｓ５を入力し、メモリ１３の補正値を読み込み可変減衰器８の最適な減衰量を演算し、制御信号である信号Ｓ６を出力し、且つ他方の送信増幅器３−１（図１）を制御する信号Ｓ４を入出力するＣＰＵ１４とを有する。
【００６７】
〔動作の説明〕
次に図１に示した送信機及び図２に示した送信増幅装置の動作を説明する。
変復調装置１は、ベースバンド信号である送信信号Ｓ１を出力する。送信増幅器２−１内部のベースバンド部７は、入力された変復調装置１からのベースバンド信号である送信信号Ｓ１を無線信号に変換して出力する。
【００６８】
可変減衰器８は、入力されたベースバンド部７からの送信信号Ｓ１ａをＣＰＵ１４からの制御信号である信号Ｓ６をもとに所望の利得になるように減衰量を調整して送信信号Ｓ１ｂを出力する。増幅器９は、入力された可変減衰器８からの送信信号Ｓ１ｂを所望の利得にして送信信号Ｓ１ｃを出力する。
【００６９】
分配器１０は、入力された増幅器９からの送信信号Ｓ１ｃを２分配して送信信号Ｓ１ｄ，Ｓ１ｅを出力する。アイソレータ１１は、アイソレーション機能を有し、且つ、入力された分配器１０からの送信信号Ｓ１ｄを通過させ出力する。
【００７０】
図１において合成器４は、入力された送信増幅器２内部のアイソレータ１１からの送信信号Ｓ７と、同構成で同機能を有する他方の送信増幅器３−１から出力された送信信号Ｓ２とを合成して電力レベルを２倍にして送信信号Ｓ３を出力する。
【００７１】
アンテナ５は、入力された合成器４からの送信信号Ｓ３を空間に放射する。
検波器１２は、分配器１０から出力された他方の送信信号Ｓ１ｅの電力レベルを検出し送信信号Ｓ１の電力レベルの情報である信号Ｓ５を出力する。ＣＰＵ１４は、検波器１２から出力された、送信信号Ｓ１の電力レベルの情報である信号Ｓ５を入力し最適な減衰量にすべく演算し制御信号である信号Ｓ６を出力する。
【００７２】
ここまでに説明した増幅機能及び自動利得制御機能は、一般的な送信増幅装置で使用し当業者にとってよく知られている。また本発明とは直接関係しないので、その詳細な動作は省略する。
【００７３】
次に本発明の特徴である動作について図３のフローチャートを参照して説明する。
図３は、図１に示した送信機の制御方法を説明するためのフローチャートの一例である。
送信増幅器２−１，３−１は、上記で説明した自動利得制御を用いて可変減衰器８を最適化させる（ステップＳ１，Ｓ２）。この時の可変減衰器８の信号Ｓ６は、送信増幅器２−１が制御値ａ（例えば１０ｄＢ）で送信増幅器３−１が制御値ｂ（例えば１１ｄＢ）となる。
【００７４】
次にＣＰＵ１４はあらかじめ測定しておいた他方の送信増幅器３−１からの送信信号Ｓ１の回り込み時の減衰量の補正値ｃをメモリ１３から読み取り可変減衰器８を最適化した減衰量から補正値ｃ（例えば３０ｄＢ）分さらに減衰させる信号Ｓ６を出力し、可変減衰器８は信号Ｓ６どおりに減衰量を調整させる（ステップＳ３）。
【００７５】
この時の可変減衰器８の信号Ｓ６は、制御値ｄ（制御値ａ（１０ｄＢ）＋補正値ｃ（３０ｄＢ）＝制御値ｄ（４０ｄＢ））となる。回り込みの減衰量である補正値ｃは、合成器４とアイソレータ１１とのアイソレーションの値であり、個々に減衰量が異なるため、必ず送信増幅装置６及び送信増幅器２−１，３−１毎に事前に測定して補正値ｃを求める必要がある。
補正値ｃは、送信増幅器３−１から送信信号Ｓ２を出力させ、定格の電力レベル（例えば＋４０ｄＢｍ）を出力させた状態で送信増幅器２−１の検波器１２の入力前までの電力レベル（例えば＋１０ｄＢｍ）を事前に測定しておく。この事前の測定により補正値ｃは、送信出力電力（＋４０ｄＢｍ）−検波器１２の入力電力（＋１０ｄＢｍ）＝補正値ｃ（３０ｄＢｍ）と求まりメモリ１３に記憶させておく。
ＣＰＵ１４は、他方の送信増幅器３−１の送信信号Ｓ２の出力をとめるべく信号Ｓ４を出力し、他方の送信増幅器３−１のＣＰＵ１４が信号Ｓ４より可変減衰器８の減衰量を大幅に増やし可変減衰器８以降に送信信号Ｓ２の電力レベルが定常電力レベルより大幅に下がるように制御させる（ステップＳ４）。
【００７６】
この時の送信増幅器３−１の可変減衰器８の信号Ｓ６は、制御値ｅ（制御値ｂ（１１ｄＢ）＋補正値ｃ（３０ｄＢ＋１５ｄＢ）≦制御値ｅ（６０ｄＢ））となる。制御値ｅを求める計算式にある１５ｄＢは、回り込みの送信信号Ｓ３の電力レベルによって検波誤差が０．１ｄＢ以上影響なくさせる電力レベルの値である。送信増幅器２のＣＰＵ１４は、この状態での送信信号Ｓ１の電力レベルｆ（例えば＋１０ｄＢｍ）を測定する（ステップＳ５）。
【００７７】
送信増幅器２−１の送信信号Ｓ１の電力レベルｆが測定完了できたら、ＣＰＵ１４は、信号Ｓ４を出力し他方の送信増幅器３−１のＣＰＵ１４が可変減衰器８を通常の送信信号Ｓ２の電力レベルに戻すべく制御値ｂの信号Ｓ６を出力する（ステップＳ６）。
【００７８】
次にＣＰＵ１４は、自身の送信増幅器２−１の送信信号Ｓ１の出力をとめるべく可変減衰器８の減衰量を大幅に増やし可変減衰器８以降に送信信号Ｓ１の電力レベルが定常電力レベルより大幅に下がるように制御させる（ステップＳ７）。
【００７９】
この時の送信増幅器２−１の可変減衰器８の信号Ｓ６は、制御値ｇ（制御値ａ（１０ｄＢ）＋補正値ｃ（３０ｄＢ＋１５ｄＢ）≦制御値ｇ（６０ｄＢ））となる。制御値ｇを求める計算式にある１５ｄＢは、前記と同様に送信信号Ｓ１の電力レベルによって検波誤差が０．１ｄＢ以上影響なくさせる電力レベルの値である。送信増幅器２−１のＣＰＵ１４は、この状態での送信信号Ｓ２の電力レベルｈ（例えば＋１２ｄＢｍ）を測定する（ステップＳ８）。
【００８０】
送信増幅器２−１のＣＰＵ１４は、自身の送信増幅器２−１の送信信号Ｓ１の電力レベルｆと他方の送信増幅器３−１の送信信号Ｓ２の電力レベルｈとを比較して、電力レベル差の補正値ｋを演算する（ステップＳ９）。
【００８１】
この時の電力レベル差は、補正値ｋ（電力レベルｈ（１２ｄＢｍ）＋電力レベルf（１０ｄＢｍ）＝補正値ｋ（２ｄＢ））となる。ＣＰＵ１４は、電力レベル差の補正値ｋを制御値aに補正をかけて可変減衰器８の信号Ｓ６を出力させる（ステップＳ１０）。
【００８２】
この時の送信増幅器２−１の可変減衰器８への信号Ｓ６は、制御値ｍ（制御値ａ（１０ｄＢ）＋補正値ｋ（２ｄＢ）＝制御値ｍ（１２ｄＢ））となる。この一連の動作により自身の送信増幅器２ともう一方の送信増幅器３−１の電力レベルを同一にさせることが出来る。例えば、送信増幅器２−１，３−１の出力の電力レベルが＋４０．０ｄＢｍで合成後の電力レベルが＋４３．０ｄＢｍのレベルダイヤである送信増幅装置６において、送信増幅器２−１の送信信号Ｓ１の電力レベルが＋４１．０ｄＢｍで送信増幅器３−１の送信信号Ｓ２の電力レベルが＋３８．０ｄＢｍの場合、合成後の送信信号Ｓ３の電力レベルは＋４２．８ｄＢｍとなってしまう。
【００８３】
電源起動時に本発明の動作を行えば、送信増幅器２−１の電力レベルが＋３８．０ｄＢｍで送信増幅器３−１の電力レベルが＋３８．０ｄＢｍとなり、合成後の送信信号Ｓ３の電力レベルは＋４１．０ｄＢｍとなる。合成後の電力レベルが２ｄＢ低いため、一律に送信増幅器２−１，３−１の電力レベルを２ｄＢづつ調整すると、送信増幅器２−１，３−１の出力の電力レベルが＋４０．０ｄＢｍで合成後の電力レベルが＋４３．０ｄＢｍとなりレベルダイヤどおりの調整が可能となる。
【００８４】
本発明で送信増幅器２−１の同一の検波器１２を使用して、電力レベルを測定する理由は、各々の送信増幅器２−１，３−１の検波器１２で電力レベルを測定すると検波器１２の個体差があるため、同一の電力レベルにならなかった。また、電力レベルを同じにして電力レベルを測定する理由は、検波器１２の測定誤差が電力レベルで変化するため同一条件である同じ電力レベルにすることにより解消されるからである。
【００８５】
〔効果の説明〕
以上説明したように、本発明においては、以下に記載するような効果を奏する。
第１の効果は、各送信増幅器２−１，３−１の電力レベルを自動で同一にさせるため、電力レベル調整の工数削減に貢献できることである。その理由は、合成前の各々の送信増幅器２−１，３−１の電力レベルを１台ずつ調整して合わせた後に合成後の電力レベルを調整させることにより工数がかかっていたが、自動で個々の電力レベルを同一にさせるため合成後の電力レベルを調整させるだけで済むようになることにある。
【００８６】
第２の効果は、双方の送信増幅器２−１，３−１の電力レベルを個々に調整せず、合成後の送信信号Ｓ３の電力レベルより一律に送信増幅器２−１，３−１を調整することがあり、その場合、電力レベルの差があると双方の送信増幅器２−１，３−１の負担が同一にならないため、片方の送信増幅器２−１または送信増幅器３−１の電力レベルを規定以上に上げることにより歪特性が悪くなるケースがあったが、自動で双方の送信増幅器２−１，３−１の電力レベルを同一にさせるためアンバランスな電力レベルの分配にならないことより誤操作の影響がなくなり歪特性の良い製品を提供できることにある。
【実施例２】
【００８７】
〔構成の説明〕
実施例１で送信増幅器２−１，３−２と送信増幅装置６との実装の組み合わせが変わらない場合について説明したが、本発明はこれに限定されるものではなく、送信増幅器２−１，３−１がどの送信増幅装置６に実装されるか特定できない場合でも電力レベルを合わせられる場合について説明する。
図４は、本発明に係る送信機の他の一例を示すブロック図である。図５は、図４に示した送信機に用いられる送信増幅装置の一実施例を示すブロック図である。
図４，５を参照して説明する。
図４，５に示した実施例と図１，２に示した実施例との相違点は、各送信増幅器２−２，３−２のＣＰＵ１４に接続したメモリ１５を具備した点であるが、その他の構成は、前述した実施例と同様である。
送信増幅器２−２のメモリ１３にはアイソレータ１１のアイソレーションである減衰量の補正値ｎを事前に測定して記憶させておく。送信増幅装置６のメモリ１５は、合成器４のアイソレーションである補正値ｐを事前に測定して記憶させておく。回り込みの減衰量である補正値ｃは、アイソレータ１１の補正値ｎと合成器４の補正値ｐとを加えた値となる（補正値ｃ＝補正値ｎ＋補正値ｐ）ため、送信増幅器２−２，３−２を別の送信増幅器に交換しても補正値ｃが求まるため自動調整可能となる。
〔動作の説明〕
次に図４に示した送信機及び５２に示した送信増幅装置の動作を説明する。
図６は、図４に示した送信機の制御方法を説明するためのフローチャートの一例である。
送信増幅器２−２，３−２は、上記で説明した自動利得制御を用いて可変減衰器８を最適化させる（ステップＳ１１，Ｓ１２）。
送信増幅器２−２のＣＰＵ１４は、電力レベル差の補正値ｋをメモリから読み出す（ステップＳ１３）。
【００８８】
ＣＰＵ１４は、電力レベル差の補正値ｋを制御値aに補正をかけて可変減衰器８の信号Ｓ６を出力させる（ステップＳ１４）。
本実施例においても実施例１と同様の効果が得られる。
【産業上の利用可能性】
【００８９】
本発明は、移動通信基地局に用いられる送信増幅装置に利用可能である。
【図面の簡単な説明】
【００９０】
【図１】本発明に係る送信機の一例を示すブロック図である。
【図２】図１に示した送信機に用いられる送信増幅装置の一例を示すブロック図である。
【図３】図１に示した送信機の制御方法を説明するためのフローチャートの一例である。
【図４】本発明に係る送信機の他の一例を示すブロック図である。
【図５】図４に示した送信機に用いられる送信増幅装置の一例を示すブロック図である。
【図６】図４に示した送信機の制御方法を説明するためのフローチャートの一例である。
【図７】従来の送信機のブロック図である。
【図８】図７に示した送信機に用いられる送信増幅器のブロック図である。
【図９】図７に示した送信増幅器の動作を示すフローチャートである。
【符号の説明】
【００９１】
１    変復調装置
２−１、２−２、３−１、３−２    送信増幅器
４    合成器
５    アンテナ
６    送信増幅装置
７    ベースバンド部
８    可変減衰器
９    増幅器
１０    分配器
１１    アイソレータ
１２    検波器
１３、１５    メモリ
１４    ＣＰＵ
【図１】
2008259050.tif 000003
【図２】
2008259050.tif 000004
【図３】
2008259050.tif 000005
【図４】
2008259050.tif 000006
【図５】
2008259050.tif 000007
【図６】
2008259050.tif 000008
【図７】
2008259050.tif 000009
【図８】
2008259050.tif 000010
【図９】
2008259050.tif 000011